(57)【要約】【課題】本睡眠との間で連携をとり、次の本睡眠及び次の日の日中の活動に対して影響を与えることのない仮睡眠によって、ユーザの眠気解消や疲労回復を効果的に図ることができる仮睡眠制御装置及び制御方法を提供する。【解決手段】仮睡眠制御装置１００は、本睡眠をとる第一寝具１１と、仮睡眠をとる第二寝具２１と、第一生体情報検出部１３と、第二生体情報検出部２３と、本睡眠入眠判定部１５ａと、本睡眠深さ演算部１５ｂと、深さサイクル記録部１５ｃと、最適仮睡眠深さ設定部２４ｂと、仮睡眠入眠判定部２４ｃと、仮睡眠深さ演算部２４ｄと、最適仮睡眠深さ判定部２４ｅと、覚醒装置６５と、を備える。【選択図】図１
2016131574.tif 000002
【特許請求の範囲】
【請求項１】
ユーザが本睡眠をとる第一寝具と、
前記ユーザが仮睡眠をとる第二寝具と、
前記第一寝具で本睡眠をとる、前記ユーザの第一生体情報振動を検出し第一生体情報信号を出力する第一生体情報検出部と、
前記第二寝具で仮睡眠をとる、前記ユーザの第二生体情報振動を検出し第二生体情報信号を出力する第二生体情報検出部と、
前記第一生体情報信号に基づいて、前記ユーザの前記本睡眠における本睡眠入眠を判定する本睡眠入眠判定部と、
前記本睡眠入眠後に前記第一生体情報信号に基づいて、前記本睡眠の本睡眠深さを演算する本睡眠深さ演算部と、
前記本睡眠入眠の入眠開始時刻から覚醒時刻までの間において、前記本睡眠深さ演算部によって演算された前記本睡眠深さが周期的に増減する本睡眠深さサイクルを記録する深さサイクル記録部と、
前記深さサイクル記録部で記録された前記本睡眠深さサイクルに基づき、前記第二寝具で前記仮睡眠をとるとき、最適となる前記仮睡眠の仮睡眠深さを設定する最適仮睡眠深さ設定部と、
前記第二生体情報信号に基づいて、前記仮睡眠における仮睡眠入眠を判定する仮睡眠入眠判定部と、
前記仮睡眠入眠後に前記第二生体情報信号に基づいて、前記仮睡眠深さを演算する仮睡眠深さ演算部と、
前記仮睡眠深さ演算部で演算された前記仮睡眠深さが、前記最適仮睡眠深さ設定部で設定された前記最適仮睡眠深さに至ったか否かを判定する最適仮睡眠深さ判定部と、
前記仮睡眠入眠判定部によって、前記仮睡眠入眠が判定され、前記最適仮睡眠深さ判定部により、前記ユーザが前記最適仮睡眠深さに至ったと判定されたとき、前記ユーザに刺激を付与して前記ユーザを覚醒させる覚醒装置と、
を備える仮睡眠制御装置。
【請求項２】
前記最適仮睡眠深さ判定部は、前記仮睡眠入眠後において、所定時間経過したとき、前記最適仮睡眠深さに至ったと推定し判定する、請求項１に記載の仮睡眠制御装置。
【請求項３】
前記ユーザの前記第一及び第二生体情報振動は前記ユーザの体動振動である、請求項１又は２に記載の仮睡眠制御装置。
【請求項４】
前記第二寝具は椅子である、請求項１から３のいずれか１項に記載の仮睡眠制御装置。
【請求項５】
前記第一及び第二寝具は同一のベッドである、請求項１から４のいずれか１項に記載の仮睡眠制御装置。
【請求項６】
前記第一及び第二寝具の少なくとも一方が配置される部屋の温度、湿度、及び明るさのうち少なくとも一つの状態を検出する状態検出部と、
前記少なくとも一つの状態を変化させることにより、前記ユーザが、前記仮睡眠入眠に至るまでの時間及び前記ユーザの仮眠の質の少なくとも一方を制御する外部装置と、を備える、請求項１から５のいずれか１項に記載の仮睡眠制御装置。
【請求項７】
前記外部装置は、空調機器、照明機器、窓のカーテン開閉装置、及び前記ユーザとの接触面を昇温又は降温させる前記第二寝具に配置された熱交換器のうちの少なくとも一つである、請求項６に記載の仮睡眠制御装置。
【請求項８】
ユーザが本睡眠をとる第一寝具と、
前記ユーザが仮睡眠をとる第二寝具と、を備える仮睡眠制御装置の制御方法であって、
前記第一寝具で本睡眠をとる前記ユーザの第一生体情報振動を検出し第一生体情報信号を出力する第一生体情報検出ステップと、
前記第二寝具で仮睡眠をとる前記ユーザの第二生体情報振動を検出し第二生体情報信号を出力する第二生体情報検出ステップと  前記第一生体情報信号に基づいて、前記ユーザの前記本睡眠における本睡眠入眠を判定する本睡眠入眠判定ステップと、
前記本睡眠入眠後に前記第一生体情報信号に基づいて、前記本睡眠の本睡眠深さを演算する本睡眠深さ演算ステップと、
前記本睡眠入眠の入眠開始時刻から覚醒時刻までの間において、前記本睡眠深さ演算ステップによって演算された前記本睡眠深さが周期的に増減する本睡眠深さサイクルを記録する深さサイクル記録ステップと、
前記深さサイクル記録ステップで記録された前記本睡眠深さサイクルに基づき、前記第二寝具で前記仮睡眠をとるとき、最適となる前記仮睡眠の仮睡眠深さを設定する最適仮睡眠深さ設定ステップと、
前記第二生体情報信号に基づいて、前記仮睡眠における仮睡眠入眠を判定する仮睡眠入眠判定ステップと、
前記仮睡眠入眠後に前記第二生体情報信号に基づいて、前記仮睡眠深さを演算する仮睡眠深さ演算ステップと、
前記仮睡眠深さ演算ステップで演算された前記仮睡眠深さが、前記最適仮睡眠深さ設定ステップで設定された前記最適仮睡眠深さに至ったか否かを判定する最適仮睡眠深さ判定ステップと、
前記仮睡眠入眠判定ステップによって、前記仮睡眠入眠が判定され、前記最適仮睡眠深さ判定ステップにより、前記ユーザが前記最適仮睡眠深さに至ったと判定されたとき、覚醒装置により前記ユーザに刺激を付与して前記ユーザを覚醒させる覚醒装置制御ステップと、
を備える仮睡眠制御装置の制御方法。
【発明の詳細な説明】
【技術分野】
【０００１】
本発明は、例えばユーザの夜間における本睡眠の状態に基づいて、ユーザの仮睡眠の質を制御し、仮睡眠によってユーザの眠気解消、及び疲労回復を効果的に図る仮睡眠制御装置及び制御方法に関する。
【背景技術】
【０００２】
従来、短時間の仮睡眠によって、ユーザの眠気解消や疲労回復を図ることを目的とする技術がある。例えば、特許文献１には、車両搭乗者の疲労を効果的に回復させるため、車中での車両搭乗者の仮睡眠時において、仮睡眠の質をコントロールする技術が開示されている。具体的には、搭乗者が入眠した後、仮睡眠中の仮睡眠深度を計測し、仮睡眠深度の累積値に応じて覚醒時期を決定する。覚醒時期になったら刺激部から刺激を車両搭乗者に与え仮睡眠から覚醒させる。これにより、短時間の仮睡眠でも眠気解消や疲労回復を図る技術が記載されている。
【先行技術文献】
【特許文献】
【０００３】
【特許文献１】特開２０１０−８２３７７号公報
【発明の概要】
【発明が解決しようとする課題】
【０００４】
しかしながら、特許文献１に開示される技術では、例えば前日の夜間の睡眠（本睡眠）における睡眠情報との間で連携をとらず、仮睡眠中における情報のみに基づいて仮睡眠深度を測定し、仮睡眠時間を決定している。通常、仮睡眠と夜間の本睡眠とは深い関係を有していることがわかっている。仮睡眠時間が長すぎると、夜間、眠れなくなることもある。こうなると、次の日の日中の活動にも寝不足で影響を与えてしまう場合がある。このため、夜間における本睡眠情報と連携していない特許文献１に開示される技術では、前日の夜間における本睡眠から考えれば、本来は必要のない深い仮睡眠をとってしまい、これが次に訪れる夜間の本睡眠に悪い影響を与え、さらには、次の日の日中の活動にも影響を与えてしまう虞がある。
【０００５】
本発明は、このような事情に鑑みてなされたものであり、本睡眠との間で連携をとり、次の本睡眠及び次の日の日中の活動に対して影響を与えることのない仮睡眠によって、ユーザの眠気解消や疲労回復を効果的に図ることができる仮睡眠制御装置及び制御方法を提供することを目的とする。
【課題を解決するための手段】
【０００６】
上述した課題を解決するためになされた、請求項１に係る仮睡眠制御装置は、ユーザが本睡眠をとる第一寝具と、前記ユーザが仮睡眠をとる第二寝具と、前記第一寝具で本睡眠をとる前記ユーザの第一生体情報振動を検出し第一生体情報信号を出力する第一生体情報検出部と、前記第二寝具で仮睡眠をとる前記ユーザの第二生体情報振動を検出し第二生体情報信号を出力する第二生体情報検出部と、前記第一生体情報信号に基づいて、前記ユーザの前記本睡眠における本睡眠入眠を判定する本睡眠入眠判定部と、前記本睡眠入眠後に前記第一生体情報信号に基づいて、前記本睡眠の本睡眠深さを演算する本睡眠深さ演算部と、前記本睡眠入眠の入眠開始時刻から覚醒時刻までの間において、前記本睡眠深さ演算部によって演算された前記本睡眠深さが周期的に増減する本睡眠深さサイクルを記録する深さサイクル記録部と、前記深さサイクル記録部で記録された前記本睡眠深さサイクルに基づき、前記第二寝具で前記仮睡眠をとるとき、最適となる前記仮睡眠の仮睡眠深さを設定する最適仮睡眠深さ設定部と、前記第二生体情報信号に基づいて、前記仮睡眠における仮睡眠入眠を判定する仮睡眠入眠判定部と、前記仮睡眠入眠後に前記第二生体情報信号に基づいて、前記仮睡眠深さを演算する仮睡眠深さ演算部と、前記仮睡眠深さ演算部で演算された前記仮睡眠深さが、前記最適仮睡眠深さ設定部によって設定された前記最適仮睡眠深さに至ったか否かを判定する最適仮睡眠深さ判定部と、前記仮睡眠入眠判定部によって、前記仮睡眠入眠が判定され、前記最適仮睡眠深さ判定部により、前記ユーザが前記最適仮睡眠深さに至ったと判定されたとき、前記ユーザに刺激を付与して前記ユーザを覚醒させる覚醒装置と、を備える。
【０００７】
このように、仮睡眠を取るより前において行なった本睡眠の本睡眠深さサイクルに基づいて、仮睡眠における最適仮睡眠深さが設定される。本睡眠の本睡眠深さサイクルに基づいて、睡眠時間が足りないと判定されれば、仮睡眠時間は、例えば長くなるよう設定される。また、本睡眠の本睡眠深さサイクルに基づいて、睡眠時間が十分足りていると判定されれば、仮睡眠時間は、短くなるように設定される。これにより、仮睡眠を取ったその日の夜には、仮睡眠時間が多すぎて眠れなくなることはない。また、仮睡眠時間が少なすぎて、疲労がひどいまま本睡眠に入るといったことはない。このため、本睡眠においては、通常通りの睡眠が行なえ、次の日に疲労が持ち越されることもない。
【０００８】
上述した課題を解決するために、請求項８に係る仮睡眠制御装置の制御方法は、ユーザが本睡眠をとる第一寝具と、前記ユーザが仮睡眠をとる第二寝具と、前記第一寝具で本睡眠をとる前記ユーザの第一生体情報振動を検出し第一生体情報信号を出力する第一生体情報検出部と、前記第二寝具仮睡眠をとる前記ユーザの第二生体情報振動を検出し第二生体情報信号を出力する第二生体情報検出部と、を備える仮睡眠制御装置の制御方法であって、前記第一生体情報信号に基づいて、前記ユーザの前記本睡眠における本睡眠入眠を判定する本睡眠入眠判定ステップと、前記本睡眠入眠後に前記第一生体情報信号に基づいて、前記本睡眠の本睡眠深さを演算する本睡眠深さ演算ステップと、前記本睡眠入眠の入眠開始時刻から覚醒時刻までの間において、前記本睡眠深さ演算ステップによって演算された前記本睡眠深さが周期的に増減する本睡眠深さサイクルを記録する深さサイクル記録ステップと、前記深さサイクル記録ステップで記録された前記本睡眠深さサイクルに基づき、前記第二寝具で前記仮睡眠をとるとき、最適となる前記仮睡眠の仮睡眠深さを設定する最適仮睡眠深さ設定ステップと、前記第二生体情報信号に基づいて、前記仮睡眠における仮睡眠入眠を判定する仮睡眠入眠判定ステップと、前記仮睡眠入眠後に前記第二生体情報信号に基づいて、前記仮睡眠深さを演算する仮睡眠深さ演算ステップと、前記仮睡眠深さ演算部で演算された前記仮睡眠深さが、前記最適仮睡眠深さ設定ステップで設定された最適仮睡眠深さに至ったか否かを判定する最適仮睡眠深さ判定ステップと、前記仮睡眠入眠判定ステップによって、前記仮睡眠入眠が判定され、前記最適仮睡眠深さ判定ステップにより、前記ユーザが前記最適仮睡眠深さに至ったと判定されたとき、覚醒装置により前記ユーザに刺激を付与して前記ユーザを覚醒させる覚醒装置制御ステップと、を備える。このような制御方法により、上記で説明した仮睡眠制御装置による仮睡眠制御と同様の制御を行なうことができる。
【図面の簡単な説明】
【０００９】
【図１】本実施形態の仮睡眠制御装置の全体図である。
【図２】睡眠判定式の一例である。
【図３】人の本睡眠深さサイクルの一例を表したグラフである。
【図４】本実施形態の仮睡眠椅子ＡＳＳＹの作動を示すフローチャート１である。
【図５】本実施形態のベッドＡＳＳＹの作動を示すフローチャート２である。
【発明を実施するための形態】
【００１０】
（仮睡眠制御装置１００の構成）
以下に、図１を用いて、本実施形態に係る仮睡眠制御装置１００の概要を説明する。仮睡眠制御装置１００は、ベッドＡＳＳＹ１０、仮睡眠椅子ＡＳＳＹ２０、機器操作信号送信装置３０、中継装置４０、及び複数の外部装置６１、６２、６３、６４を備える。
【００１１】
（ベッドＡＳＳＹ１０の構成）
ベッドＡＳＳＹ１０は、ベッド１１（第一寝具に相当）、第一生体情報検出センサ１３（第一生体情報検出部に相当）及び第一制御部１５を備える。ベッド１１は、ユーザ１が、特に、夜間において、一日の疲れを取る為に睡眠する寝具である。なお、本実施形態においては、ユーザ１が、ベッド１１上で睡眠する場合における睡眠を、後述する「仮睡眠」と区別するために、「本睡眠」と称する。つまり、本実施形態において本睡眠とは、ユーザ１が、後述する仮睡眠のように直ぐに起床するつもりがなく、少なくとも仮睡眠の範囲を越えて熟睡するつもりで取る睡眠のことをいう。
【００１２】
ただし、ユーザ１が本睡眠する時間帯は、夜間には限らない。夜勤勤務のあるユーザであれば、本睡眠は、早朝、又は日中となる。つまり、本睡眠に時間帯の限定はない。ベッド１１は、マット１１ａ、台部１１ｂ、脚部１１ｃを備える。ベッド１１は、寝室の床面上に載置される。マット１１ａは、台部１１ｂ上に載置され、ユーザ１は、マット１１ａ上に横臥して睡眠をとる。
【００１３】
第一生体情報検出センサ１３は、ユーザ１の第一生体情報である、体動振動、脈拍、脳波の少なくとも１つによって発生する第一生体情報振動を検出し、第一生体情報信号１３ａを出力するセンサである。本実施形態では、生体情報は体動振動とする。本実施形態では、第一生体情報検出センサ１３は、ベッド１１に備えられ、具体的には、マット１１ａ内に配置される。第一生体情報検出センサ１３は、ユーザ１の体動振動を検出できれば、マット１１ａ内でどのように配置されてもよい。また、第一生体情報検出センサ１３は、マット１１ａ内ではなくユーザ１に直接装着されていてもよい。また、第一生体情報検出センサ１３は、マット１１ａが載置される台部１１ｂや脚部１１ｃのいずれかの位置に設けられてもよい。
【００１４】
第一制御部１５は、ベッドＡＳＳＹ１０を統括制御するものである。第一制御部１５は、本睡眠入眠判定部１５ａ、本睡眠深さ演算部１５ｂ、深さサイクル記録部１５ｃ及び第一無線通信部１５ｄを備える。第一制御部１５は、第一生体情報検出センサ１３と接続され、第一生体情報検出センサ１３から第一生体情報信号１３ａを取得する。
【００１５】
本睡眠入眠判定部１５ａは、第一生体情報信号１３ａに基づいて、ユーザ１の本睡眠における本睡眠入眠を判定する。詳細には、本睡眠入眠判定部１５ａは、本睡眠入眠の判定をユーザ１の体動振動に基づき行なう。なお、入眠の判定については、どのような方法を用いてもよい。例えば、特開２０１４−７０７６６号公報に開示されている方法によって計算してもよい。つまり、まず、第一生体情報検出センサ１３から出力された第一生体情報信号１３ａに基づいて、マットレス１１ａ上に横たわっているユーザ１の単位時間当たりの体動数を演算する。そして演算された体動数に基づいて、睡眠状態及び覚醒状態を判断する。具体的には、第一生体情報検出センサ１３に掛かっている荷重の変動数を体動数に変換し、体動数を記憶する。そして、図２に例示される睡眠判定式から体動数を睡眠状態を表す指標Ｚに変換する。指標Ｚが０を超えていれば、ユーザ１が覚醒状態であると判断する。指標Ｚが０以下であれば、ユーザ１が入眠し睡眠状態にあると判断する。
【００１６】
本睡眠深さ演算部１５ｂは、本睡眠入眠判定部１５ａによって、ユーザ１の「本睡眠の本睡眠入眠」が確認された後、本睡眠入眠後の睡眠深さである本睡眠深さを演算する。例えば、本睡眠深さ演算部１５ｂは、単位時間当たりのユーザ１の体動振動が少ない程、ユーザ１が深い睡眠深さにあると演算する。なお、ユーザ１の生体情報に基づいて本睡眠深さを演算する方法は、特開２００２−２９１７１０号公報、特開２００９−１５３５５０号公報、特開２０１１−６７２４１号公報等に示されるように公知技術であるので、ここでの説明は割愛する。深さサイクル記録部１５ｃは、後述する「本睡眠深さサイクル」をフラッシュメモリ等に記録する記録部である。
【００１７】
ここで、図３を用いて、人の「本睡眠深さサイクル」について説明する。図３に示すように、人の「本睡眠深さサイクル」は、人の本睡眠入眠開始後に、「本睡眠深さ」が周期的に深くなった後に浅くなる、つまり増減する「本睡眠深さ」を複数有している。図３に記載されているように、「本睡眠深さ」が深くなるに従って、レム睡眠から睡眠第１深度〜睡眠第４深度の順に移動していく。この本睡眠サイクルは、人によって異なり、人の本睡眠開始時の環境（部屋の温度、湿度、明るさ）によっても変化する。
【００１８】
人は、最後の本睡眠サイクルにおいて、本睡眠深さが浅くなって覚醒に到る。場合によっては、図３の破線で示すように、人は、本睡眠中において、本睡眠深さが浅くなり過ぎて、本睡眠途中で覚醒してしまう場合が有る。また、図３の２点鎖線に示すように、本睡眠深さの周期の途中において、本睡眠深さが減少していかなければならない場面において、本睡眠深さが減少しきれず、再び深くなってしまう不安定状態を形成する場合もある。これらのような本睡眠状態であると、次の日に眠気、及び疲労が残る虞がある。
【００１９】
なお、仮睡眠については、これまでの実験結果より４段階ある睡眠深度のうち睡眠第２深度までに留めておいたほうが、覚醒後におけるユーザ１の眠気解消や疲労を効果的に回復させることがわかっている。睡眠第２深度を超えて、深い眠りに入ると、仮睡眠から起きたときにだるさが残っている、眠い、夜ねむれない等の症状がでる場合がある。そこで、本実施形態では、最適仮睡眠深さは、睡眠第２深度までの状態を超えないよう設定する。
【００２０】
再び第一制御部１５の説明に戻る。深さサイクル記録部１５ｃは、上記で説明した、本睡眠深さ演算部１５ｂによって演算された本睡眠深さが、本睡眠の本睡眠入眠開始時刻から覚醒時刻までの時間の経過につれて、周期的に増減する複数の「本睡眠深さサイクル」を記録する。
【００２１】
第一無線通信部１５ｄは、中継装置４０と相互に無線通信し、中継装置４０を介して仮睡眠椅子ＡＳＳＹ２０の第二制御部２４に「本睡眠深さサイクル」データを送信する。
【００２２】
（仮睡眠椅子ＡＳＳＹ２０の構成）
次に、仮睡眠椅子ＡＳＳＹ２０について説明する。仮睡眠椅子ＡＳＳＹ２０は、図１に示すように、仮睡眠椅子２１（第二寝具に相当）、第二生体情報検出センサ２３（第二生体情報検出部に相当）及び第二制御部２４を備える。第二制御部２４は、状態検出部２４ａ、最適仮睡眠深さ設定部２４ｂ、仮睡眠入眠判定部２４ｃ、仮睡眠深さ演算部２４ｄ、最適仮睡眠深さ判定部２４ｅ、覚醒装置制御部２４ｆ、及び第二無線通信部２４ｇを備える。第二制御部２４は、仮睡眠椅子ＡＳＳＹ２０を統括制御するものである。
【００２３】
仮睡眠椅子２１は、ユーザ１が仮睡眠をとる寝具（第二寝具）である。仮睡眠椅子２１（第二寝具）は、図略のモータの作動によって背もたれ部の角度を制御するリクライニング機構（図示しない）を備える。仮睡眠椅子２１（第二寝具）は、クッション部２１ａと、支持台２１ｂと、支持台２１ｂを支える脚部２１ｃとを備える。
【００２４】
第二生体情報検出センサ２３は、第一生体情報検出センサ１３と同じものである。第二生体情報検出センサ２３は、第一生体情報検出センサ１３と符号のみ異なるだけであるので詳細な説明は省略する。図１に示すように、本実施形態において、第二生体情報検出センサ２３は、仮睡眠椅子２１の脚部２１ｃに設けられている。本実施形態において、第二生体情報検出センサ２３では、仮睡眠椅子２１の脚部２１ｃに伝達されるユーザ１の生体情報の一つである体動振動が検出される。なお、この態様に限らず、第二生体情報検出センサ２３がユーザ１に直接装着されている、およびまたは仮睡眠椅子２１の背もたれ部に設けられている態様であっても差し支え無い。
【００２５】
状態検出部２４ａは、ベッド１１（第一寝具）及び仮睡眠椅子２１（第二寝具）が配置される寝室に設けられる。状態検出部２４ａは、温度計、湿度計及び照度計から構成される。温度計は室温を検出する。湿度計は寝室の湿度を検出する。また、照度計は部屋の明るさを検出する。状態検出部２４ａ（温度計、湿度計及び照度計）は、第二制御部２４に検出データを出力する。
【００２６】
各外部装置６１、６２、６３、６４は、状態を変化させることにより、ユーザ１が、仮睡眠入眠に至るまでの時間を短くするとともに、ユーザ１の仮睡眠の質を良質なものとする装置である。ユーザ１の寝室には、それぞれ外部装置として空調機器６１、照明機器６２、窓に取り付けられたカーテン開閉装置６３が配置される。また、仮睡眠椅子２１の背もたれ部及び座面にはヒータ６４が配置される。ヒータ６４はユーザ１との接触面を昇温させる仮睡眠椅子２１に配置されたヒータ（熱交換器）である。なお、外部装置６４は、ヒータに限らずユーザ１との接触面を降温させるクーラ（熱交換器）であってもよい。各外部装置６１、６２、６３、６４を操作してユーザ１が、仮睡眠入眠に至るまでの時間を短くするための温度、湿度、明るさ等の状態変化は、ユーザ毎に最適な状態が設定される。つまり、ユーザ１が仮睡眠入眠に速やかに至るための最適な室温、明るさ、湿度、仮睡眠椅子２１の温度等は、ユーザ毎に設定される。
【００２７】
最適仮睡眠深さ設定部２４ｂでは、深さサイクル記録部１５ｃが記録した「本睡眠深さサイクル」データを取得する。そして、「本睡眠深さサイクル」データに基づいて、仮睡眠椅子２１（第二寝具）で仮睡眠するユーザ１の最適仮睡眠深さを設定する。具体的には、「本睡眠深さサイクル」において、合計の睡眠時間が十分あり、「本睡眠深さサイクル」の波形にも、途中覚醒や不安定部分を有する等の問題がないと判断できれば、最適仮睡眠深さ設定部２４ｂでは、最適仮睡眠深さを、仮睡眠椅子２１上のユーザ１が仮睡眠の入眠である仮睡眠入眠したと判定された後から、例えば、５分間仮睡眠するよう設定する。そして仮睡眠入眠の判定は、仮睡眠入眠判定部２４ｃによって行なう。その方法は、上記本睡眠入眠判定部１５ａと同様である。また、仮睡眠入眠後における経過時間の測定は、第二制御部２４が有する図略のタイマによって行なう。
【００２８】
また、最適仮睡眠深さ設定部２４ｂでは、状態検出部２４ａによって検出された室温、湿度、明るさ等がユーザ１の仮睡眠入眠及び仮睡眠にとって最適なものとなるよう設定してもよい。例えば、仮睡眠時が夏の昼間であれば、例えば室温２６℃を仮睡眠時における設定温度とする。また、窓のカーテン開閉装置（外部装置６３）は閉められた状態を仮睡眠時における設定状態とする。さらに、照明機器（外部装置６２）は、消灯状態を仮睡眠時における設定状態とする。そして、これらの各外部装置６１、６２、６３の操作は、機器操作信号送信装置３０、中継装置４０を経由し無線によって行なう。
【００２９】
また、最適仮睡眠深さ設定部２４ｂにおいて、取得した「本睡眠深さサイクル」データから、ユーザ１が、夜間、途中で覚醒してしまい合計の睡眠時間が不足している、又はユーザ１の「本睡眠深さサイクル」が、きれいな波形を有しておらず不安定な波形を呈していると判断した場合には、最適仮睡眠深さを、例えば、仮睡眠椅子２１上のユーザ１が仮睡眠入眠したと判定された後から、最大値である１５分間仮睡眠するよう設定する。
【００３０】
ここで、最適仮睡眠深さ設定部２４ｂにおいて、仮睡眠の最大時間を１５分とする理由について説明する。前述したように、仮睡眠によって、眠気解消、及び疲労回復を図るためには、通常、浅い睡眠状態を示す睡眠第１深度〜深い睡眠状態を示す睡眠第４深度までの４段階あるとされる睡眠深さのうち、睡眠第２深度までの眠りに留めておいた方がよいことがわかっている。これを超えると、眠れなくなる等、夜間の睡眠に影響を及ぼす虞がある。また、通常、仮睡眠を行なうと、その仮睡眠深さは、仮睡眠入眠後、比較的速く睡眠第１深度を越え、睡眠第２深度まで到達することがわかっている。さらに、仮睡眠入眠後１５分以内であれば、睡眠第３深度まで突入する虞は低いことがわかっている。そこで、本発明では、最適仮睡眠深さを、入眠後の経過時間で推定し判定することとした。つまり、睡眠第２深度以内に確実に位置する経過時間である１５分を上限として、取得した本睡眠深さサイクルのデータに応じて仮睡眠入眠後の経過時間を決定する。これにより、簡易に判定でき低コスト化が図れる。
【００３１】
そして、このときも、最適仮睡眠深さ設定部２４ｂにおいて、ユーザ１の入眠及び仮睡眠の質をさらにあげるため、状態検出部２４ａによって検出された室温、明るさ、湿度、仮睡眠椅子２１の温度がユーザ１の仮睡眠入眠及び仮睡眠にとって最適なものとなるよう各外部装置６１、６２、６３、６４を制御してもよい。これにより、適切に疲労回復が図れる。
【００３２】
仮睡眠入眠判定部２４ｃは、ユーザ１の体動振動によって発生する第二生体情報検出センサ２３から出力される第二生体情報信号２３ａに基づいて、ユーザ１が仮睡眠入眠に至ったか否かを判定する。その方法は、本睡眠入眠判定部１５ａと同様であるので説明は省略する。
【００３３】
仮睡眠深さ演算部２４ｄは、ユーザ１の体動振動によって発生する第二生体情報検出センサ２３から出力される第二生体情報信号２３ａに基づいて、仮睡眠入眠後の仮睡眠深さを演算する。よって、通常であれば仮睡眠入眠判定部２４ｃによってユーザ１の仮睡眠の仮睡眠入眠が判定されたのち、本睡眠深さの測定方法と同様の方法によって、仮睡眠深さを測定すればよい。しかし、実際には前述したように仮睡眠深さと時間との関係が事前にわかっている。そこで、本実施形態では、仮睡眠深さ演算部２４ｄにおいて、実際に仮睡眠深さは測定しない。仮睡眠深さ演算部２４ｄでは、仮睡眠入眠後の経過時間を計測する。
【００３４】
最適仮睡眠深さ判定部２４ｅは、仮睡眠深さ演算部２４ｄで計測された経過時間が最適仮睡眠深さ設定部２４ｂで設定した時間に至ったか否かを判定する。つまり本実施形態では、最適仮睡眠深さ判定部２４ｅは、仮睡眠入眠後において、設定した所定時間経過したとき、最適仮睡眠深さに至ったと推定する。
【００３５】
覚醒装置制御部２４ｆは、最適仮睡眠深さ判定部２４ｅが、仮睡眠椅子２１（第二寝具）で仮睡眠をとっているユーザ１の仮睡眠深さ、即ち経過時間が、最適仮睡眠深さ設定部２４ｂで設定された経過時間の５分となったと判定したとき、覚醒装置６５を作動させユーザ１に刺激を付与してユーザ１を覚醒させる。このとき、覚醒装置６５は、仮睡眠椅子２１に設けられたアラームである。なお、覚醒装置６５は、どのような装置でもよい。例えば、覚醒装置６５は、仮睡眠椅子２１に設けられたバイブレータでもよい。また、覚醒装置６５は、カーテン開閉装置６３であってもよく、カーテンをあけて部屋を明るくしユーザ１を覚醒させても良い。
【００３６】
第二無線通信部２４ｇは、中継装置４０と相互に無線通信し、中継装置４０を介して、最適仮睡眠深さ設定部２４ｂが設定した状態となるよう各外部装置６１、６２、６３、６４及び覚醒装置６５を制御する。ユーザ１の寝室には、それぞれ外部装置としての、空調機器６１、照明機器６２、窓に取り付けられたカーテン開閉装置６３が配置される。また、仮睡眠椅子２１の背もたれ部、及び座面にはヒータ６４が配置される。
【００３７】
図１において、５０はユーザ１が使用する携帯端末である。携帯端末５０には、所謂スマートフォンやタブレットＰＣが含まれる。携帯端末５０は、外部と無線通信するための無線通信部５０ｂを備える。無線通信部５０ｂは、中継装置４０と相互に通信する。携帯端末５０は、タッチパネル５０ｃを備える。携帯端末５０には、携帯端末５０を空調機器６１、照明機器６２及びカーテン開閉装置６３のリモートコントローラとして使用するため、つまり、空調機器６１及び照明機器６２のＯＮ、ＯＦＦや、カーテン開閉装置６３の開閉、空調機器６１、照明機器６２及びヒータ６４の設定値の変更等の操作をするためのマルチリモートコントローラアプリケーション５０ａがインストールされている。ユーザ１が、覚醒状態時にタッチパネル５０ｃに表示されるマルチリモートコントローラアプリケーション５０ａの操作画面を操作することにより、空調機器６１、照明機器６２、カーテン開閉装置６３及びヒータ６４を操作することができるようになっている。
【００３８】
中継装置４０は、携帯端末５０の無線通信部５０ｂ、第一制御部１５の第一無線通信部１５ｄ、第二制御部２４の第二無線通信部２４ｇ、及び機器操作信号送信装置３０の無線通信部３０ｂと相互に通信する。中継装置４０と、第一無線通信部１５ｄ、第二無線通信部２４ｇ、無線通信部３０ｂとの通信方式には、無線ＬＡＮやＢｌｕｅｔｏｏｔｈ（登録商標）、ＷｉＦｉが含まれる。中継装置４０の通信方式が、無線ＬＡＮである場合には、中継装置４０は、無線ＬＡＮルータである。
【００３９】
機器操作信号送信装置３０は、機器通信部３０ａ、無線通信部３０ｂ、設定値記憶部３０ｃを有している。機器通信部３０ａは、空調機器６１、照明機器６２、カーテン開閉装置６３及びヒータ６４と通信する。機器通信部３０ａの通信方式は、空調機器６１、照明機器６２及びカーテン開閉装置６３及びヒータ６４に固有のリモートコントローラ（図示せず）の通信方式と同一であり、赤外線通信が含まれる。無線通信部３０ｂは、上述したように中継装置４０と相互に通信する。機器操作信号送信装置３０の無線通信部３０ｂは、中継装置４０を介して、携帯端末５０の無線通信部５０ｂ及び第一無線通信部１５ｄ及び第二無線通信部２４ｇと相互に通信可能となっている。設定値記憶部３０ｃは、携帯端末５０から無線通信部３０ｂを介して空調機器６１、照明機器６２及びヒータ６４の設定値を受信した場合に、この設定値を更新記憶する。
【００４０】
（作動）
次に作動について、図４のフローチャート１、及び図５のフローチャート２に基づき説明する。フローチャート１は、仮睡眠椅子ＡＳＳＹ２０の作動プログラムである。フローチャート２は、ベッドＡＳＳＹ１０の作動プログラムである。まず、ユーザ１が、仮睡眠椅子２１（第二寝具）に着座すると、第二生体情報検出センサ２３が、ユーザ１の体重を検出しフローチャート１のプログラムが開始される。ただしこの態様には限らず、ユーザ１が自ら起動ボタンを押してプログラムを開始するようにしてもよい。起動ボタンは、第二制御部２４に設ければよい。
【００４１】
フローチャート１は、第二生体情報検出ステップＳ１０１と、状態検出ステップＳ１０２と、本睡眠深さサイクル取得ステップＳ１０３と、最適仮睡眠深さ設定ステップＳ１０４と、仮睡眠入眠判定ステップＳ１０５と、仮睡眠深さ演算ステップＳ１０６と、最適仮睡眠深さ判定ステップＳ１０７と、覚醒ステップＳ１０８とを備える。
【００４２】
ステップＳ１０１（第二生体情報検出ステップ）では、第二制御部２４が、第二生体情報検出センサ２３によって、ユーザ１の体動振動を検出し、データを取得する。ステップＳ１０２（状態検出ステップ）では、状態検出部２４ａが、ベッド１１（第一寝具）及び仮睡眠椅子２１（第二寝具）が配置される寝室の状態を示す温度、湿度、明るさを温度計、湿度計、及び照度計によって検出し、第二制御部２４が検出したデータを取得する。
【００４３】
ステップＳ１０３では、第二制御部２４が、直前（例えば前日の夜）の本睡眠における「本睡眠深さサイクル」データを取得する。取得する「本睡眠深さサイクル」データは、フローチャート２を制御する第一制御部１５によって既に取得され、深さサイクル記録部１５ｃが記録しているデータである。
【００４４】
ここで、図５のフローチャート２について説明しておく。前述したように、フローチャート２は、ベッドＡＳＳＹ１０の作動プログラムである。フローチャート２は、第一生体情報検出ステップＳ２０１、本睡眠入眠判定ステップＳ２０２、本睡眠深さ演算ステップＳ２０３及び深さサイクル記録ステップＳ２０４を備える。
【００４５】
ステップＳ２０１（生体情報検出ステップ）では、第一制御部１５が、ベッド１１（第一寝具）に設けられた第一生体情報検出センサ１３によって、ユーザ１の体動振動を検出させ体動振動データを取得する。ステップＳ２０２（本睡眠入眠判定ステップ）では、本睡眠入眠判定部１５ａが、第一生体情報信号１３ａに基づいて、ユーザ１の本睡眠における本睡眠入眠を判定する。本睡眠入眠判定部１５ａにおいて、本睡眠入眠と判定されれば第一制御部１５は、制御の処理をステップＳ２０３に移動し、覚醒状態と判定されれば、第一制御部１５は、判定結果が本睡眠入眠に至るまでステップＳ２０２の処理を繰り返し行なう。
【００４６】
ステップＳ２０３（本睡眠深さ演算ステップ）では、本睡眠深さ演算部１５ｂが、本睡眠入眠に至った後の本睡眠深さを時間の経過とともに逐次演算する。ステップＳ２０４（深さサイクル記録ステップ）では、本睡眠深さ演算部１５ｂによって演算された本睡眠深さサイクルが、深さサイクル記録部１５ｃによって記録される。このように、ユーザ１が、ベッド１１で就寝し、本睡眠を行なうたびにフローチャート１のプログラムが起動し、「本睡眠深さサイクル」データが深さサイクル記録部１５ｃによって記録される。そして、今回は、本睡眠深さサイクルの状態は、非常に良好であり、ユーザ１は夜間に十分な時間睡眠し、よって仮睡眠時には大きな疲れも眠気もないものとする。以上がフローチャート２のプログラムである。
【００４７】
ここで、フローチャート１に戻る。次のステップＳ１０４（最適仮睡眠深さ設定ステップ）では、最適仮睡眠深さ設定部２４ｂが、ステップＳ１０２で取得した寝室の状態データ、及びステップＳ１０３で取得した「本睡眠深さサイクル」データ（フローチャート１及び２の丸Ａ参照）に基づき、仮睡眠における最適仮睡眠深さ及び各外部装置６１、６２、６３、６４の設定を行なう。前述したように、今回「本睡眠深さサイクル」データは、本睡眠として良好な状態である。これにより、最適仮睡眠深さ設定部２４ｂが仮睡眠における最適仮睡眠深さ及び各外部装置６１、６２、６３、６４の各設定を行なう最適仮睡眠深さ設定ステップＳ１０４では、最適仮睡眠深さに対して最低限の状態を設定する。また、最適仮睡眠深さ設定部２４ｂが、各外部装置６１、６２、６３、６４に対して行なう設定は、カーテンを閉めた上で、照明のみＯＦＦとなるようにするものである。具体的には、最適仮睡眠深さについては、仮睡眠椅子２１上のユーザ１が仮睡眠入眠したと判定されたときから、５分間仮睡眠する状態が最適仮睡眠深さとなるよう設定する。各外部装置６１、６２、６３、６４に対しては、第二無線通信部２４ｇが、中継装置４０と相互に無線通信し、中継装置４０を介して、最適仮睡眠深さ設定部２４ｂが設定した状態となるよう情報を送信する。これにより、外部装置６２（照明機器）がＯＦＦになるよう操作され、外部装置６３（カーテン開閉装置６３）が閉方向に操作されて室内が暗くなる。
【００４８】
ステップＳ１０５（仮睡眠入眠判定ステップ）では、仮睡眠入眠判定部２４ｃが、仮睡眠椅子２１（第二寝具）におけるユーザ１の仮睡眠入眠を判定する。このとき、ユーザ１の仮睡眠入眠は、第二生体情報検出部２３によって検出された体動振動（生体情報）に基づいて、判定される。仮睡眠入眠判定部２４ｃによって、仮睡眠入眠に至ったと判定されるとプログラムの処理はステップＳ１０６に移動し、仮睡眠入眠に至らなければ、プログラムの処理は仮睡眠入眠に至るまで、ステップＳ１０５を繰り返えされる。ただし、このとき、ユーザ１が仮睡眠入眠になかなか至らなければ、仮睡眠入眠に至らない状態を許容する経過時間を決め、決めた経過時間に到達したらステップＳ１０４に戻り、各外部装置６１、６２、６３、６４の設定が、ユーザ１が仮睡眠入眠するのに最適な条件となるよう設定されてもよい。
【００４９】
ステップＳ１０６（仮睡眠深さ演算ステップ）では、仮睡眠深さ演算部２４ｄが、仮睡眠入眠後から経過時間の計測を行なう。そして、ステップＳ１０７（最適仮睡眠深さ判定ステップ）では、仮睡眠深さ演算部２４ｄが、仮睡眠入眠後の経過時間がステップＳ１０４で設定された時間となったか否かを判定する。仮睡眠入眠後の経過時間が例えば５分になるまでは、ステップＳ１０６は繰り返し処理される。そして、経過時間が例えば５分となったら、ステップＳ１０６はステップＳ１０８に移動する。
【００５０】
ステップＳ１０８（覚醒ステップ）では、覚醒装置制御部２４ｆが覚醒装置６５に作動信号を送り、覚醒装置６５が、アラームを作動させユーザ１に聴覚上の刺激を付与してユーザ１を覚醒させる。これにより、ユーザ１はすっきり目覚め、もともと少なかった疲労も完全に回復する。
【００５１】
なお、上記実施形態においては、作動の説明において、取得した「本睡眠深さサイクル」データが、問題のないデータである場合について説明した。しかし「本睡眠深さサイクル」データが、例えば本睡眠深さが浅くなるはずの位置で浅くならず再び深くなってしまう不安定睡眠（図３、２点鎖線参照）が発生した、または睡眠中において、本睡眠深さが浅くなり過ぎ、覚醒してしまった（図３、破線参照）等の内容を含んでいた場合には、ステップＳ１０４において設定する内容を変更すればよい。この場合、フローチャート１において、ステップＳ１０３ａで「本睡眠深さサイクル」データの内容が正常か否かを判定する。そして、ステップＳ１０３ａにおいて、判定結果が「正常」と判定されれば上記で説明したとおりステップＳ１０４に移動すればよい。しかし、ステップＳ１０３ａにおいて、「正常でない」と判定されれば、ステップＳ１０４ａに移動し、「正常でない」状態に応じた新たな設定を最適仮睡眠深さ設定部２４ｂが行なえばよい。
【００５２】
「正常でない」状態に応じた新たな設定としては、例えば、最適仮睡眠深さについては、仮睡眠入眠後における仮睡眠の継続時間を１５分に設定する。また各外部装置６１、６２、６３、６４については、ユーザ１にとって、仮睡眠入眠を速やかに行なうため、及び良質な仮睡眠を行なうために「正常でない」状態に応じ最適な条件となるよう設定する。これにより、ユーザ１の疲労は良好に回復する。
【００５３】
また、上記実施形態においては、各外部装置６１、６２、６３、６４の設定を変更することで、ユーザ１の覚醒状態から仮睡眠入眠に至るまでの時間、及び仮睡眠の質を制御した。しかし、覚醒装置６５によってユーザ１を覚醒させることができれば、各外部装置６１、６２、６３、６４による仮睡眠入眠に至るまでの時間、及び仮睡眠の質の制御はしなくてもよい。これによっても相応の効果は得られる。
【００５４】
また、上記実施形態においては、本睡眠深さを演算する際、生体情報のうち、体動振動を利用して求めた。しかし、この態様には限らない。本睡眠深さは、ユーザ１の脳波、心拍、呼吸等の他の生体情報を利用して求めてもよい。また、本睡眠入眠、及び仮睡眠入眠の判定についても体動振動を利用して求めたが、こちらも他の生体情報（心拍、呼吸等）によって求めても良い。
【００５５】
また、上記実施形態においては、第二寝具を椅子であるとした。しかし、この態様には限らず、第二寝具はベッドでもよい。さらに、第二寝具は、第一寝具と同一のベッドでもよい。
【００５６】
また、上記実施形態においては、各外部装置６１、６２、６３、６４を全て適用する態様であったが、少なくとも一つを適用すればよい。
【００５７】
（実施形態による効果）
上記実施形態によれば、仮睡眠制御装置１００は、ユーザ１が本睡眠をとるベッド１１（第一寝具）と、ユーザ１が仮睡眠をとる仮睡眠椅子２１（第二寝具）と、ベッド１１に設けられ、ユーザ１の第一生体情報振動を検出し第一生体情報信号１３ａを出力する第一生体情報検出センサ１３（第一生体情報検出部）と、仮睡眠椅子２１に設けられ、ユーザ１の第二生体情報振動を検出し第二生体情報信号を出力する第二生体情報検出センサ２３（第二生体情報検出部）と、第一生体情報信号１３ａに基づいて、ユーザ１の本睡眠における本睡眠入眠を判定する本睡眠入眠判定部１５ａと、本睡眠入眠後に第一生体情報信号１３ａに基づいて、本睡眠の本睡眠深さを演算する本睡眠深さ演算部１５ｂと、本睡眠入眠の入眠開始時刻から覚醒時刻までの間において、本睡眠深さ演算部１５ｂによって演算された本睡眠深さが周期的に増減する本睡眠深さサイクルを記録する深さサイクル記録部１５ｃと、深さサイクル記録部１５ｃで記録された本睡眠深さサイクルに基づき、仮睡眠椅子２１で仮睡眠をとるとき、最適となる仮睡眠の仮睡眠深さを設定する最適仮睡眠深さ設定部２４ｂと、第二生体情報信号２３ａに基づいて、仮睡眠における仮睡眠入眠を判定する仮睡眠入眠判定部２４ｃと、仮睡眠入眠後に第二生体情報信号２３ａに基づいて、仮睡眠深さを演算する仮睡眠深さ演算部２４ｄと、仮睡眠深さ演算部２４ｄで演算された仮睡眠深さが、設定された最適仮睡眠深さに至ったか否かを判定する最適仮睡眠深さ判定部２４ｅと、仮睡眠入眠判定部２４ｃによって、仮睡眠入眠が判定され、最適仮睡眠深さ判定部２４ｅにより、ユーザ１が最適仮睡眠深さに至ったと判定されたとき、ユーザ１に刺激を付与してユーザを覚醒させる覚醒装置６５と、を備える。
【００５８】
このように、仮睡眠を取るより前において行なった本睡眠の本睡眠深さサイクルに基づいて、仮睡眠における最適仮睡眠深さが設定される。本睡眠の本睡眠深さサイクルに基づいて、睡眠時間が足りないと判定されれば、仮睡眠時間は、例えば長くなるよう設定される。また、本睡眠の本睡眠深さサイクルに基づいて、睡眠時間が十分足りていると判定されれば、仮睡眠時間は、短くなるように設定される。これにより、仮睡眠を取ったその日の夜には、仮睡眠時間が多すぎて眠れなくなることはない。また、仮睡眠時間が少なすぎて、疲労がひどいまま本睡眠に入るといったことはない。このため、本睡眠においては、通常通りの睡眠が行なえ、次の日に疲労が持ち越されることもない。
【００５９】
また上記実施形態によれば、最適仮睡眠深さ判定部２４ｅは、仮睡眠入眠後において、所定時間経過したとき、最適仮睡眠深さに至ったと推定することにより判定を行なう。
【００６０】
これまでの実験結果より、仮睡眠によって疲労を回復させるためには、４段階ある睡眠深さのうちの睡眠第２深度までの眠りにとどめておかなければならないことがわかっている。これを超えると、夜間の睡眠に影響を及ぼす。そして、通常、仮睡眠を行なうと、その仮睡眠深さは、仮睡眠入眠後、比較的短い時間で睡眠第２深度まで、到達することがわかっている。さらに、睡眠第２深度まで到達したのちには、所定の時間以内であれば睡眠第３深度には移行しないこともわかっている。そこで、上記発明の態様では、最適仮睡眠深さを入眠後の経過時間で判定する。これにより、簡易に判定でき低コスト化が図れる。
【００６１】
また上記実施形態によれば、仮睡眠制御装置１００において、ユーザ１の第一及び第二生体情報振動はユーザ１の体動振動である。これにより、安価な荷重センサ等によって生体情報のデータを容易に取得できる。
【００６２】
また上記実施形態によれば、第二寝具は椅子である。このように仮睡眠に適した椅子を第二寝具とすることで、熟睡に至ってはいけない仮睡眠のコントロールがし易くなる。
【００６３】
また上記実施形態によれば、第一及び第二寝具は同一のベッド１１である。これにより、寝具及び生体情報検出部はそれぞれ１つでよいので、低コストに対応できる。
【００６４】
また上記実施形態によれば、第一及び第二寝具の少なくとも一方が配置される部屋の温度、湿度、及び明るさのうち少なくとも一つの状態を検出する状態検出部２４ａと、少なくとも一つの状態を変化させることにより、ユーザ１が、仮睡眠入眠に至るまでの時間及びユーザ１の仮眠の質の少なくとも一方を制御する各外部装置６１、６２、６３、６４と、を備える。
【００６５】
これにより、ユーザ１は、各外部装置６１、６２、６３、６４によって、良好な仮睡眠をとるための環境である、快適な室温、湿度、明るさ等を得ることができる。ユーザ１は、これらの環境の状態によって、入眠しやすくなるとともに、入眠後においては、質のよい眠りが得られる。その結果、眠気解消及び疲労の回復を、早めることができる。
【００６６】
また上記実施形態によれば、外部装置は、空調機器６１、照明機器６２、窓のカーテン開閉装置６３、及びユーザ１との接触面を昇温又は降温させる仮睡眠椅子２１（第二寝具）に配置されたヒータ又はクーラ（熱交換器）のうちの少なくとも一つである。これより、照明機器６２の操作によって、快適な明るさ状態が実現できる。また、窓のカーテン開閉装置６３の操作によっても、外部からの明るさが調節され、室内の快適な明るさ状態が実現できる。さらに、仮睡眠椅子２１のヒータ又はクーラによって、手足、及び体が温められ、又は冷やされて快適な体温状態が得られる。これにより、入眠しやすくなるとともに、入眠後においては、質のよい眠りが得られる。
【００６７】
また上記実施形態よる仮睡眠制御装置１００の制御方法は、ユーザ１が本睡眠をとるベッド１１（第一寝具）と、ユーザ１が仮睡眠をとる仮睡眠椅子２１（第二寝具）と、ベッド１１に設けられ、ユーザ１の第一生体情報振動を検出し第一生体情報信号１３ａを出力する第一生体情報検出センサ１３（第一生体情報検出部）と、仮睡眠椅子２１に設けられ、ユーザ１の体動振動（第二生体情報振動）を検出し第二生体情報信号２３ａを出力する第二生体情報検出センサ２３（第二生体情報検出部）と、を備える仮睡眠制御装置１００の制御方法であって、第一生体情報信号２３ａに基づいて、ユーザ１の本睡眠における本睡眠入眠を判定する本睡眠入眠判定ステップＳ２０２と、本睡眠入眠後に第一生体情報信号１３ａに基づいて、本睡眠の本睡眠深さを演算する本睡眠深さ演算ステップＳ２０３と、本睡眠入眠の入眠開始時刻から覚醒時刻までの間において、本睡眠深さ演算ステップＳ２０３によって演算された本睡眠深さが周期的に増減する本睡眠深さサイクルを記録する深さサイクル記録ステップＳ２０４と、深さサイクル記録ステップＳ２０４で記録された本睡眠深さサイクルに基づき、仮睡眠椅子２１で仮睡眠をとるとき、最適となる仮睡眠の仮睡眠深さを設定する最適仮睡眠深さ設定ステップＳ１０４と、第二生体情報信号２３ａに基づいて、仮睡眠における仮睡眠入眠を判定する仮睡眠入眠判定ステップＳ１０５と、仮睡眠入眠後に第二生体情報信号２３ａに基づいて、仮睡眠深さを演算する仮睡眠深さ演算ステップＳ１０６と、仮睡眠深さ演算ステップＳ１０６で演算された仮睡眠深さが、設定された最適仮睡眠深さに至ったか否かを判定する最適仮睡眠深さ判定ステップＳ１０７と、仮睡眠入眠判定ステップＳ１０７によって、仮睡眠入眠が判定され、最適仮睡眠深さ判定ステップＳ１０７により、ユーザ１が最適仮睡眠深さに至ったと判定されたとき、覚醒装置６５によりユーザに刺激を付与してユーザを覚醒させる覚醒装置制御ステップＳ１０８と、を備える。このような制御方法により、上記で説明した仮睡眠制御装置１００が製作できる。
【００６８】
なお、上記実施形態においては、無線の通信機器を用いてデータの送受信を行なった。しかし、この態様には限らず、データの送受信は有線によって行なってもよい。
【符号の説明】
【００６９】
１・・・ユーザ、１１・・・第一寝具（ベッド）、１３・・・第一生体情報検出部（第一生体情報検出センサ）、１３ａ・・・第一生体情報信号、１５・・・第一制御部、１５ａ・・・本睡眠入眠判定部、１５ｂ・・・本睡眠深さ演算部、１５ｃ・・・深さサイクル記録部、１５ｄ・・・第一無線通信部、２１・・・第二寝具（仮睡眠椅子）、２３・・・第二生体情報検出部（第二生体情報検出センサ）、２３ａ・・・第二生体情報信号、２４・・・第二制御部、２４ａ・・・状態検出部、２４ｂ・・・最適仮睡眠深さ設定部、２４ｃ・・・仮睡眠入眠判定部、２４ｄ・・・仮睡眠深さ演算部、２４ｅ・・・覚醒装置制御部、２４ｆ・・・最適仮睡眠深さ判定部、６１・・・外部装置（空調機器）、６２・・・外部装置（照明機器）、６３・・・・外部装置（カーテン開閉装置）、６４・・・外部装置（ヒータ）、６５・・・覚醒装置、１００・・・仮睡眠制御装置。 
【図１】
2016131574.tif 000003
【図２】
2016131574.tif 000004
【図３】
2016131574.tif 000005
【図４】
2016131574.tif 000006
【図５】
2016131574.tif 000007